(57)【要約】【課題】ガイド間の平行度が良いＷガイドウインドレギュレータ及びＷガイドウインドレギュレータのドアのインナパネルへの組み付け方法を提供することにある。【解決手段】各ガイド６，６’の上部にスタッドボルト２ａ，２ａ’を設け、ンナパネル９３に、第１穴９３ａ，９３ａ’を設け、各ガイド６，６’の下部に第２ボルトを設け、インナパネル９３に、第１穴９３ａ，９３ａ’に向かって延びる長穴状の第２穴９３ｃ，９３ｃを設け、スタッドボルト２ａ，２ａ’を第１穴９３ａ，９３ａ’を挿通させ、第１ナットを螺合させることにより、ガイド６，６’の上部とインナパネル９３とを取り付け、第２ボルトを第２穴９３ｃ，９３ｃを挿通させ、第２ナットを螺合させることにより、ガイド６，６’の下部とインナパネル９３とを取り付ける。【選択図】図１
2010168813.tif 000002
【特許請求の範囲】
【請求項１】
ドアのインナパネルに、ウインドガラスの昇降方向に沿って平行に設けられ、前記ウインドガラスが取り付けられるスライダが移動可能に係合する一組のガイドを有するＷガイドウインドレギュレータにおいて、
前記各ガイドの上部に前記インナパネルに向かって延び、周面におねじが形成された第１ボルトを設け、該第１ボルトと対向する前記インナパネルに、前記第１ボルトのおねじの外径と同じ径の第１穴を設け、
前記各ガイドの下部に前記インナパネルに向かって延び、周面におねじが形成された第２ボルトを設け、該第２ボルトと対向する前記インナパネルに、幅が前記第２ボルトのおねじの外径と等しく、前記第１穴に向かって延びる長穴状の第２穴を設け、
前記各ガイドの第１ボルトを前記インナパネルの前記第１穴に挿通させ、前記第１ボルトの前記インナパネルから突出した部分に第１ナットを螺合させることにより、前記ガイドの上部と前記インナパネルとを取り付け、
前記各ガイドの第２ボルトを前記インナパネルの前記第２穴に挿通させ、前記第２ボルトの前記インナパネルから突出した部分に第２ナットを螺合させることにより、前記ガイドの下部と前記インナパネルとを取り付けたことを特徴とするＷガイドウインドレギュレータ。
【請求項２】
ドアのインナパネルに、ウインドガラスの昇降方向に沿って平行に設けられ、前記ウインドガラスが取り付けられるスライダが移動可能に係合する一組のガイドを有するＷガイドウインドレギュレータにおいて、
前記各ガイドの上部に前記インナパネルに向かって延び、周面におねじが形成された第１ボルトを設け、該第１ボルトと対向する前記インナパネルに、前記第１ボルトのおねじの外径と同じ径の第１穴を設け、
前記各ガイドの下部に前記インナパネルに向かって延び、周面におねじが形成された第２ボルトを設け、
前記各第２ボルトの前記インナパネル側の端部側に、前記第２ボルトに取り付け／取り外し可能な位置決めキャップを係合させ、
前記第２ボルトと対向する前記インナパネルに、幅が前記位置決めキャップの外径と等しく、前記第１穴に向かって延びる長穴状の第２穴を設け、
前記各ガイドの第１ボルトを前記インナパネルの前記第１穴に挿通させ、前記第１ボルトの前記インナパネルから突出した部分に第１ナットを螺合させることにより、前記ガイドの上部と前記インナパネルとを取り付け、
前記各ガイドの第２ボルト及び前記第２ボルトに取り付けられた位置決めキャップを前記インナパネルの前記第２穴に挿通させ、前記第１ボルトと前記第１ナットを螺合した後に前記位置決めキャップを取り外し、前記第２ボルトの前記インナパネルから突出した部分に第２ナットを螺合させることにより、前記ガイドの下部と前記インナパネルとを取り付けたことを特徴とするＷガイドウインドレギュレータ。
【請求項３】
ドアのインナパネルに、ウインドガラスの昇降方向に沿って平行に設けられ、前記ウインドガラスが取り付けられるスライダが移動可能に係合する一組のガイドを有するＷガイドウインドレギュレータのドアのインナパネルへの組み付け方法において、
前記各ガイドの上部に前記インナパネルに向かって延び、周面におねじが形成された第１ボルトを設け、該第１ボルトと対向する前記インナパネルに、前記第１ボルトのおねじの外径と同じ径の第１穴を設け、
前記各ガイドの下部にめねじ穴を設け、該めねじ穴に、軸方向中間部の周面に、前記インナパネルの前記ガイドと対向する面側に当接可能なつば部が形成された棒状の第２ボルトを螺合させ、
該第２ボルトと対向する前記インナパネルに、幅が前記第２ボルトのおねじの外径より広く、前記第１穴に向かって延びる長穴状の第２穴を設け、
更に、前記第２ボルトの前記インナパネル側の端部側に、第２ボルトに取り付け／取り外し可能で、外径が前記第２穴の幅と等しい位置決めキャップを係合させ、
前記ガイドの上部の第１ボルトを前記インナパネルの第１穴に挿通させ、前記位置決めキャップを取り付けた状態の前記ガイドの下部の第２ボルトを前記インナパネルの第２穴に挿通させ（第１工程）、
前記第１ボルトの前記インナパネルの前記第１穴から突出した部分に第１ナットを螺合させ、本締めし（第２工程）、
前記第２ボルトより前記位置決めキャップを取り外し（第３工程）、
前記第２ボルトの前記インナパネルの前記第２穴から突出した部分に前記第２ナットを螺合させ、仮締めし（第４工程）、
前記第２ボルトを回転させて、前記ガイドを前記第２ボルトに対して軸方向に移動させることにより、前記ガイドの下部と前記ドアとの間隔を調整して、ウインドガラスと前記ドアとの建付調整を行い（第５工程）、
前記第２ナットを本締めして、前記各ガイドの下部と前記インナパネルとを取り付ける（第６工程）、
ことを特徴とするＷガイドウインドレギュレータのドアのインナパネルへの組み付け方法。
【発明の詳細な説明】
【技術分野】
【０００１】
本発明は、ドアのインナパネルに、ウインドガラスの昇降方向に沿って平行に設けられ、前記ウインドガラスが取り付けられるスライダが移動可能に係合する一組のガイドを有するＷガイドウインドレギュレータ及びＷガイドウインドレギュレータのドアのインナパネルへの組み付け方法に関する。
【背景技術】
【０００２】
図１５を用いてＷガイドウインドレギュレータを説明する。このＷガイドウインドレギュレータは、ウインドガラスの昇降方向に沿って平行に設けられた同一構造の二本のガイド５６，５６’を有している。よって、おもにガイド５６側を用いて説明し、ガイド５６’側での同一部分には、同一符号にダッシュ（’）を付し、重複する説明は省略する。
【０００３】
ガイド５６の上部に設けられるアッパベース５２にはターンガイド５４が、下部に設けられるロアベース５３にはターンガイド５５がそれぞれ回転可能に取付けられている。これらアッパベース５２、ロアベース５３はガイド５６がウインドガラス５１の開閉方向に沿うようにドアのインナパネルに取り付けられる。
【０００４】
ガイド５６には、スライダ５７が移動可能に係合している。そして、このスライダ５７には、ウインドガラス５１が固着される。
モータ６０は、ドアのインナパネルに取付けられる。このモータ６０の出力軸にはウォームとウォームホイールからなる減速機６１が設けられ、減速機６１の出力軸６１ａにはドラム１０１が取り付けられる。そして、ドラム１０１に一端部が掛止された第１のワイヤａはターンガイド５４を介してスライダ５７に至り、その他端部はスライダ５７のワイヤエンドケース６４に接続されている。
【０００５】
ワイヤエンドケース６４に一端部が掛止された第２のワイヤｂはターンガイド５５、ターンガイド５４’を介してスライダ５７’に至り、その他端部はスライダ５７’に設けられたワイヤエンドケース６４’に掛止されている。
【０００６】
さらに、ワイヤエンドケース６４’に一端部が掛止された第３のワイヤｃはターンガイド５５’を介してドラム１０１に掛止されている。
従って、ワイヤａ，ワイヤｂ，ワイヤｃは、ワイヤエンドケース６４，６４’を介して実質的には、一本のワイヤと見ることができる。
【０００７】
このような構成のＷガイドウインドレギュレータの作動を説明する。モータ６０が駆動されると、実質的に一本となったワイヤａ，ワイヤｂ，ワイヤｃが移動し、ワイヤａ，ワイヤｂに取り付けられたスライダ５７と、ワイヤｂ，ワイヤｃに取り付けられたスライダ５７’とがガイド５６とガイド５６’とに沿って移動し、ウインドガラス５１が開閉する（例えば、特許文献１参照）。
【０００８】
ここで、図１５に示す構成のＷガイドウインドレギュレータのガイド５６のアッパベース５２と、ガイド５６のロアベース５３とのドアのインナパネルとの取付を説明する。
アッパベース５２には、同じ径の円形の穴５２ａ、５２ｂが形成されている。一方、ドアのインナパネルには、アッパベース５２の穴５２ａ、５２ｂと対向する穴７１ａ、７１ｂが形成されている。穴７１ａは、円形でありその径は、アッパベース５２の穴５２ａの径と同じである。穴７１ｂは、穴７１ａに向かって延びる長穴でありその幅はアッパベース５２の穴５２ｂの径と同じである。
【０００９】
又、ロアベース５３にも、穴５２ａ、５２ｂと同じ径の円形の穴５３ａ、５３ｂが形成されている。一方、ドアのインナパネルには、ロアベース５３の穴５３ａ、５３ｂと対向する穴７２ａ、７２ｂが形成されている。穴７２ａ、穴７２ｂは、円形でありその径は、ロアベース５３の穴５３ａ、穴５３ｂの径より大きく設定されている。
【００１０】
そして、アッパベース５２の穴５２ａからインナパネルの穴７１ａに向かって挿入され、穴５２ａの周縁部に当接可能な頭部と、該頭部に連設され、周面におねじが形成され、おねじの山の径が穴５２ａの径と同じ首部を有する第１ボルトと、第１ボルトの穴７１ａから突出した首部に螺合する第１ナットとで、アッパベース５２はインナパネルに取り付けられる。
【００１１】
又、アッパベース５２の穴５２ｂからインナパネルの穴７１ｂに向かって挿入され、穴５２ｂの周縁部に当接可能な頭部と、該頭部に連設され、周面におねじが形成され、おねじの山の径が穴５２ｂの径と同じ首部を有する第１’ボルトと、第１’ボルトの穴７１ｂから突出した首部に螺合する第１’ナットとで、アッパベース５２はインナパネルに取り付けられる。
【００１２】
この２つの取り付けにより、ガイド５６はインナパネルに位置決めされる。即ち、第１ボルトの首部がアッパベース５２の穴５２ａ、インナパネルの穴７１ａに挿通されることで、位置決めの基準となり、第１’ボルトの首部がアッパベースの穴５２ｂ、インナパネルの穴７１ｂに挿通することで、位置決めの副基準となる。
【００１３】
更に、ロアベース５３とインナパネルとの取り付けは、図１６に示すような構成で行なわれる。図１６は、図１５においてロアベースをインナパネルに取り付けた状態での切断線Ａ−Ａでの断面図である。図において、インナパネル７０と対向するロアベース５３の面には、谷の径が穴５３ａの径と等しいめねじ穴を有し、該めねじ穴の中心軸が、穴５３ａの中心軸と一致するように第２ナット７３が取り付けられている。
【００１４】
第２ナット７３には、第２ボルト７４が螺合している。第２ボルト７４は、第２ナット７３のめねじ穴に螺合するおねじ７４ａが周面に形成された棒部７４ｂと、棒部７４ｂの長手方向の中間部に形成され、インナパネル７０のロアベース５３と対向する面側の穴７２ａの周縁に当接可能なつば部７４ｃとからなっている。又、穴７２ａから突出した第２ボルト７４の棒部７４ｂのおねじ７４ａには、第３ナット７５が螺合する。
【００１５】
そして、第３ナット７５が仮締めされた状態で、第２ボルト７４の棒部７４ｂを回転させて、ガイド５６の下部とインナパネル７０との間隔を調整して、ウインドガラス５１とドア（ウエザーストリップ）の建付調整を行い、その後、第３ナット７５を本締めして、ロアベース５３をインナパネル７０に取り付ける。
【００１６】
尚、図１６では、ロアベース５３の穴５３ａで説明を行なったが、穴５３ｂとインナパネル７０の取り付けも同様である。
【先行技術文献】
【特許文献】
【００１７】
【特許文献１】特許第３８０２３６４号
【発明の概要】
【発明が解決しようとする課題】
【００１８】
Ｗガイドワイヤレギュレータでは、ガイド５６と、ガイド５６’との平行度が必要とされる。平行度が悪いと、ウインドガラス５１の昇降時の抵抗が大きくなり、異音が発生したり、更には、昇降ができなくなったりする。
【００１９】
しかし、ガイド５６、５６’のインナパネル７０への位置決めは、第１ボルトの首部がアッパベース５２の穴５２ａ、インナパネルの穴７１ａに挿通されることで、位置決めの基準となり、第１’ボルトの首部がアッパベースの穴５２ｂ、インナパネルの穴７１ｂに挿通することで、位置決めの副基準となることでなされる。
【００２０】
しかし、アッパベース５２上に、基準と副基準とがあり、基準と副基準との間の距離が短く、ガイド５６、５６’の下部では、偏差(ズレ)が大きくなり、要求される平行度が確保できなくなる問題点がある。
【００２１】
本発明は、上記問題点に鑑みてなされたもので、その課題は、ガイド間の平行度が良いＷガイドウインドレギュレータ及びＷガイドウインドレギュレータのドアのインナパネルへの組み付け方法を提供することにある。
【課題を解決するための手段】
【００２２】
請求項１に係る発明は、ドアのインナパネルに、ウインドガラスの昇降方向に沿って平行に設けられ、前記ウインドガラスが取り付けられるスライダが移動可能に係合する一組のガイドを有するＷガイドウインドレギュレータにおいて、前記各ガイドの上部に前記インナパネルに向かって延び、周面におねじが形成された第１ボルトを設け、該第１ボルトと対向する前記インナパネルに、前記第１ボルトのおねじの外径と同じ径の第１穴を設け、前記各ガイドの下部に前記インナパネルに向かって延び、周面におねじが形成された第２ボルトを設け、該第２ボルトと対向する前記インナパネルに、幅が前記第２ボルトのおねじの外径と等しく、前記第１穴に向かって延びる長穴状の第２穴を設け、前記各ガイドの第１ボルトを前記インナパネルの前記第１穴に挿通させ、前記第１ボルトの前記インナパネルから突出した部分に第１ナットを螺合させることにより、前記ガイドの上部と前記インナパネルとを取り付け、前記各ガイドの第２ボルトを前記インナパネルの前記第２穴に挿通させ、前記第２ボルトの前記インナパネルから突出した部分に第２ナットを螺合させることにより、前記ガイドの下部と前記インナパネルとを取り付けたことを特徴とするＷガイドウインドレギュレータである。
【００２３】
請求項２に係る発明は、ドアのインナパネルに、ウインドガラスの昇降方向に沿って平行に設けられ、前記ウインドガラスが取り付けられるスライダが移動可能に係合する一組のガイドを有するＷガイドウインドレギュレータにおいて、前記各ガイドの上部に前記インナパネルに向かって延び、周面におねじが形成された第１ボルトを設け、該第１ボルトと対向する前記インナパネルに、前記第１ボルトのおねじの外径と同じ径の第１穴を設け、前記各ガイドの下部に前記インナパネルに向かって延び、周面におねじが形成された第２ボルトを設け、前記各第２ボルトの前記インナパネル側の端部側に、前記第２ボルトに取り付け／取り外し可能な位置決めキャップを係合させ、前記第２ボルトと対向する前記インナパネルに、幅が前記位置決めキャップの外径と等しく、前記第１穴に向かって延びる長穴状の第２穴を設け、前記各ガイドの第１ボルトを前記インナパネルの前記第１穴に挿通させ、前記第１ボルトの前記インナパネルから突出した部分に第１ナットを螺合させることにより、前記ガイドの上部と前記インナパネルとを取り付け、前記各ガイドの第２ボルト及び前記第２ボルトに取り付けられた位置決めキャップを前記インナパネルの前記第２穴に挿通させ、前記第１ボルトと前記第１ナットを螺合した後に前記位置決めキャップを取り外し、前記第２ボルトの前記インナパネルから突出した部分に第２ナットを螺合させることにより、前記ガイドの下部と前記インナパネルとを取り付けたことを特徴とするＷガイドウインドレギュレータである。
【００２４】
請求項３に係る発明は、ドアのインナパネルに、ウインドガラスの昇降方向に沿って平行に設けられ、前記ウインドガラスが取り付けられるスライダが移動可能に係合する一組のガイドを有するＷガイドウインドレギュレータのドアのインナパネルへの組み付け方法において、前記各ガイドの上部に前記インナパネルに向かって延び、周面におねじが形成された第１ボルトを設け、該第１ボルトと対向する前記インナパネルに、前記第１ボルトのおねじの外径と同じ径の第１穴を設け、前記各ガイドの下部にめねじ穴を設け、該めねじ穴に、軸方向中間部の周面に、前記インナパネルの前記ガイドと対向する面側に当接可能なつば部が形成された棒状の第２ボルトを螺合させ、該第２ボルトと対向する前記インナパネルに、幅が前記第２ボルトのおねじの外径より広く、前記第１穴に向かって延びる長穴状の第２穴を設け、更に、前記第２ボルトの前記インナパネル側の端部側に、第２ボルトに取り付け／取り外し可能で、外径が前記第２穴の幅と等しい位置決めキャップを係合させ、前記ガイドの上部の第１ボルトを前記インナパネルの第１穴に挿通させ、前記位置決めキャップを取り付けた状態の前記ガイドの下部の第２ボルトを前記インナパネルの第２穴に挿通させ（第１工程）、前記第１ボルトの前記インナパネルの前記第１穴から突出した部分に第１ナットを螺合させ、本締めし（第２工程）、前記第２ボルトより前記位置決めキャップを取り外し（第３工程）、前記第２ボルトの前記インナパネルの前記第２穴から突出した部分に前記第２ナットを螺合させ、仮締めし（第４工程）、前記第２ボルトを回転させて、前記ガイドを前記第２ボルトに対して軸方向に移動させることにより、前記ガイドの下部と前記インナパネルとの間隔を調整して、ウインドガラスと前記ドアとの建付調整を行い（第５工程）、前記第２ナットを本締めして、前記各ガイドの下部と前記インナパネルとを取り付ける（第６工程）、ことを特徴とするＷガイドウインドレギュレータのドアのインナパネルへの組み付け方法である。
【発明の効果】
【００２５】
請求項１に係る発明によれば、前記各ガイドの上部に前記インナパネルに向かって延び、周面におねじが形成された第１ボルトを設け、該第１ボルトと対向する前記インナパネルに、前記第１ボルトのおねじの外径と同じ径の第１穴を設け、前記各ガイドの第１ボルトを前記インナパネルの前記第１穴に挿通させることにより、位置決めの基準となる。
【００２６】
前記各ガイドの下部に前記インナパネルに向かって延び、周面におねじが形成された第２ボルトを設け、該第２ボルトと対向する前記インナパネルに、幅が前記第２ボルトのおねじの外径と等しく、前記第１穴に向かって延びる長穴状の第２穴を設け、前記各ガイドの第２ボルトを前記インナパネルの前記第２穴に挿通させることにより、位置決めの副基準となる。
【００２７】
即ち、ガイドの上部に位置決めの基準、ガイドの下部に位置決めの副基準を設けたことにより、ガイド間の平行度が良い。
請求項２に係る発明によれば、前記各ガイドの上部に前記インナパネルに向かって延び、周面におねじが形成された第１ボルトを設け、該第１ボルトと対向する前記インナパネルに、前記第１ボルトのおねじの外径と同じ径の第１穴を設け、前記各ガイドの第１ボルトを前記インナパネルの前記第１穴に挿通させることにより、位置決めの基準となる。
【００２８】
前記各ガイドの下部に前記インナパネルに向かって延び、周面におねじが形成された第２ボルトを設け、前記各第２ボルトの前記インナパネル側の端部側に、前記第２ボルトに取り付け／取り外し可能な位置決めキャップを係合させ、前記第２ボルトと対向する前記インナパネルに、幅が前記位置決めキャップの外径と等しく、前記第１穴に向かって延びる長穴状の第２穴を設け、前記各ガイドの第２ボルト及び前記第２ボルトに取り付けられた位置決めキャップを前記インナパネルの前記第２穴に挿通させることにより、位置決めの副基準となる。
【００２９】
即ち、ガイドの上部に位置決めの基準、ガイドの下部に位置決めの副基準を設けたことにより、ガイド間の平行度が良い。
請求項３に係る発明によれば、前記各ガイドの上部に前記インナパネルに向かって延び、周面におねじが形成された第１ボルトを設け、該第１ボルトと対向する前記インナパネルに、前記第１ボルトのおねじの外径と同じ径の第１穴を設け、前記ガイドの上部の第１ボルトを前記インナパネルの第１穴に挿通させることにより、位置決めの基準となる。
【００３０】
又、前記各ガイドの下部にめねじ穴を設け、該めねじ穴に、軸方向中間部の周面に、前記インナパネルの前記ガイドと対向する面側に当接可能なつば部が形成された棒状の第２ボルトを螺合させ、該第２ボルトと対向する前記インナパネルに、幅が前記第２ボルトのおねじの外径より広く、前記第１穴に向かって延びる長穴状の第２穴を設け、更に、前記第２ボルトの前記インナパネル側の端部側に、第２ボルトに取り付け／取り外し可能で、外径が前記第２穴の幅と等しい位置決めキャップを係合させ、前記位置決めキャップを取り付けた状態の前記ガイドの下部の第２ボルトを前記インナパネルの第２穴に挿通させることにより、位置決めの副基準となる。
【００３１】
即ち、ガイドの上部に位置決めの基準、ガイドの下部に位置決めの副基準を設けたことにより、ガイド間の平行度が良い。
又、前記第２ボルトより前記位置決めキャップを取り外し、前記第２ボルトを回転させて、前記ガイドを前記第２ボルトに対して軸方向に移動させることにより、前記ガイドの下部と前記ドア（ウエザストリップ）との間隔を調整して、ウインドガラスとドアとの建付調整ができる。その際、前記第２穴の幅が前記第２ボルトのおねじの外径より広いので、建付調整に伴い前記第２ボルトが移動しても前記第２穴と干渉することがない。
【図面の簡単な説明】
【００３２】
【図１】Ｗガイドウインドレギュレータの正面図である。
【図２】図１の一部破断図である。
【図３】図１の切断線Ａ−Ａでの断面図である。
【図４】図１の切断線Ｂ−Ｂでの断面図である。
【図５】内張を取り除いたサッシュレスドアを車内側から見た図である。
【図６】図１においてロアベースをインナパネルに取り付けた状態での切断線Ｃ−Ｃでの断面図である。
【図７】図１においてロアベースをインナパネルに取り付けた状態での切断線Ｄ−Ｄでの断面図である。
【図８】図１の切断線Ｅ−Ｅでの断面図である。
【図９】図５に図１のＷガイドウインドレギュレータを組み付けた図である。
【図１０】図９にウインドガラスを組み付けた図である。
【図１１】治具の斜視図である。
【図１２】図１１の切断線Ｆ−Ｆでの断面図である。
【図１３】図１１の切断線Ｇ−Ｇでの断面図である。
【図１４】図１１の切断線Ｈ−Ｈでの断面図である。
【図１５】従来のＷガイドウインドレギュレータの正面図である。
【図１６】図１５に示すＷガイドウインドレギュレータとインナパネルとの取り付けを説明する図である。
【発明を実施するための形態】
【００３３】
最初に、図１、図２を用いて、本形態例のＷガイドウインドレギュレータの全体構成を説明する。図１はＷガイドウインドレギュレータの正面図、図２は図１の一部破断図である。
【００３４】
これらの図において、Ｗガイドウインドレギュレータ１は、ウインドガラスの昇降方向に沿って平行に設けられた二本のガイド６，６’を有している。ガイド６側を用いて説明し、ガイド６’側での同一部分には、同一符号にダッシュ（’）を付し、重複する説明は省略する。
【００３５】
ガイド６の上部に設けられるアッパベース２にはターンガイド４が、下部に設けられるロアベース３にはターンガイド５がそれぞれ回転可能に取付けられている。これらアッパベース２、ロアベース３はガイド６がウインドガラスの開閉方向に沿うようにドアのインナパネルに取り付けられる。
【００３６】
ガイド６には、スライダ７が移動可能に係合している。そして、このスライダ７には、ウインドガラスが固着される。
モータ１０は、ドアのインナパネルに取付けられる。このモータ１０の出力軸にはウォームとウォームホイールからなる減速機１１が設けられ、減速機１１の出力軸にはドラム７１が取り付けられる。
【００３７】
ドラム７１に掛止された第１のワイヤａはターンガイド５を介して、スライダ７の下部に接続されている。スライダ７の上部に接続されたワイヤｂは、ターンガイド４、ターンガイド５’を介してスライダ７’の下部に接続されている。スライダ７’に接続されたワイヤｃはターンガイド４’を介してドラム７１に係止されている。
【００３８】
従って、ワイヤａ，ワイヤｂ，ワイヤｃは、スライダ７，７’を介して実質的には、一本のワイヤと見ることができる。
このような構成のウインドレギュレータの作動を説明する。モータ１０が駆動されると、実質的に一本となったワイヤａ，ワイヤｂ，ワイヤｃが移動し、ワイヤａ，ワイヤｂに取り付けられたスライダ７と、ワイヤｂ，ワイヤｃに取り付けられたスライダ７’とがガイド６とガイド６’とに沿って移動し、ウインドガラスが開閉する。
【００３９】
本形態例のＷガイドウインドレギュレータ１では、下記アウタチューブを用いてワイヤを保護している。
(1) ターンガイド５とドラム７１間のワイヤａは、一端部がロアベース３に係止され、
他端部がドラム７１近傍に係止されたアウタチューブ（内径がワイヤａよりも大きなチューブ）Ａ内を挿通させる。
(2) ドラム７１とターンガイド４’間のワイヤｃは、一端部がドラム７１近傍に係止さ
れ、他端部がアッパベース２’に係止されたアウタチューブ（内径がワイヤｃよりも大きなチューブ）Ｃ内を挿通させる。
(3) ターンガイド４とターンガイド５’間のワイヤｂは、一端部がアッパベース２に係
止され、他端部がロアベース３’に係止されたアウタチューブ（内径がワイヤｂよりも大きなチューブ）B内を挿通させる。
【００４０】
ここで、ガイド６とガイド６’との異なる点を図３、図４を用いて説明する。図３は図１の切断線Ａ−Ａでの断面図、図４は図１の切断線Ｂ−Ｂでの断面図である。
図３に示すように、スライダ７にはスライダプレート１２が取り付けられている。このスライダプレート１２は断面形状が略Ｕ字形で、ガイド６のガイド６’側の端部からガイド６の表面、裏面を挟むように設けられるている。これにより、スライダ７，スライダプレート１２は、ガイド６に沿って移動可能となっている。
【００４１】
次に、図４に示すように、ガイド６’の断面形状は略Ｃ字形で、内部にシュー１３が設けられている。シュー１３は、ガイド６’の開口からガイド６’の外部に突出する突出部１３ａを有し、この突出部１３ａにスライダ７’が取り付けられている。これにより、スライダ７’、シュー１３はガイド６’に沿って移動可能となっている。
【００４２】
このシュー１３とガイド６’との係合は、ウインドガラスが昇降する平面上で、ウインドガラスの昇降する方向と交差する方向には、ほとんど動かない係合である。一方、ガイド６とスライダプレート１２との係合は、ウインドガラスが昇降する平面上で、ウインドガラスの昇降する方向と交差する方向に移動可能である。よって、ガイド６とガイド６’との平行度が少々悪くとも、スライダプレート１２とガイド６との係合により許容可能となっている。
【００４３】
次に、上記構成のＷガイドウインドレギュレータ１のドアへの取り付け構造を説明する。
最初に図５を用いてドアを説明する。図５は内張を取り除いたサッシュレスドアを車内側から見た図である。図において、９１はアウタパネル、９３はインナパネルである。アウタパネル９１とインナパネル９３とは、ウエストラインを除いた３辺をヘミングし、スポット溶接で組み付けられている。
【００４４】
インナパネル９３とアウタパネル９１との間の空間に、ウインドレギュレータやドアロック装置等の機構部品が配置され、インナパネル９３に取り付けられる。インナパネル９３には、これら機構部品の取り付け用の穴（サービスホール）９３ｓが形成されている。尚、穴９３ｔは、スピーカ用の穴である。
【００４５】
ここで、図１に示すＷガイドウインドレギュレータのガイド６、６’のアッパベース２、２’，ガイド６、６’のロアベース３、３’のドアのインナパネル９３への取付構造を説明する。
【００４６】
図１、図８に示すように、ガイド６のアッパベース２には、おねじの山の径（外径）が同じ径のスタッドボルト（第１ボルト）２ａ、スタッドボルト２ｂが設けられている。一方、インナパネル９３には、アッパベース２のスタッドボルト２ａと対向する穴（第１穴）９３ａと、アッパベース２のスタッドボルト２ｂと対向する穴９３ｂが形成されている。穴９３ａは、円形でありその径は、アッパベース２のスタッドボルト２ａのおねじの山の径と同じである。穴９３ｂは、円形でありその径は、アッパベース２のスタッドボルト２ｂのおねじの山の径より大きく設定されている。
【００４７】
ガイド６のロアベース３には、円形の穴３ａが形成されている。一方、ドアのインナパネル９３には、ロアベース３の穴３ａと対向する穴９３ｃが形成されている。穴９３ｃは、穴９３ａに向かって延びる長穴でありその幅はロアベース３の穴３ａの径より大きく設定されている。
【００４８】
又、ガイド６’のアッパベース２’には、おねじの山の径が同じ径のスタッドボルト２ａ’（第１ボルト）と、スタッドボルト２ｂ’が設けられている。尚、本形態例では、スタッドボルト２ａ’、２ｂ’のおねじの山の径は、スタッドボルト２ａ、２ｂのおねじの山の径と同じとした。
【００４９】
一方、インナパネル９３には、アッパベース２’のスタッドボルト２ａ’と対向する穴（第１穴）９３ａ’と、アッパベース２’のスタッドボルト２ｂ’と対向する穴９３ｂ’が形成されている。穴９３ａ’は、円形でありその径は、アッパベース２’のスタッドボルト２ａ’のおねじの山の径と同じである。穴９３ｂ’は、円形でありその径は、アッパベース２’のスタッドボルト２ｂ’のおねじの山の径より大きく設定されている。
【００５０】
ガイド６’のロアベース３’には、円形の穴３ａ’が形成されている。一方、ドアのインナパネル９３には、ロアベース３’の穴３ａ’と対向する穴９３ｃ’が形成されている。穴９３ｃ’は、穴９３ａ’に向かって延びる長穴でありその幅はロアベース３’の穴３ａ’の径より大きく設定されている。又、ロアベース３’には、スタッドボルト３ｂ’が設けられている。尚、本形態例では、スタッドボルト３ｂ’のおねじの山の径は、スタッドボルト２ａ’、２ｂ’と同じとした。一方、ドアのインナパネル９３には、ロアベース３’のスタッドボルト３ｂ’と対向する穴９３ｄ’が形成されている。穴９３ｄ’は、円形でありその径は、ロアベース３’のスタッドボルト３ｂ’のおねじの山の径より大きく設定されている。
【００５１】
先ず、ガイド６側の取付構造を説明する。
アッパベース２のスタッドボルト２ａをインナパネルの穴９３ａに挿入し、穴９３ａから突出したスタッドボルト２ａに螺合する第１ナットとで、アッパベース２はインナパネル９３に取り付けられる。
【００５２】
ロアベース３とインナパネル９３との取り付けは、図６、図７に示すような構成で行なわれる。図６は、図１においてロアベースをインナパネルに取り付けた状態での切断線Ｃ−Ｃでの断面図、図７は図１においてロアベースをインナパネルに取り付けた状態での切断線Ｄ−Ｄでの断面図である。
【００５３】
図において、インナパネル９３と対向するロアベース３の面には、谷の径が穴３ａの径と等しいめねじ穴を有し、該めねじ穴の中心軸が、穴３ａの中心軸と一致するように第３ナット３３が取り付けられている。
【００５４】
第３ナット３３には、第２ボルト３４が螺合する。第２ボルト３４は、棒状で、長手方向の中間部にインナパネル９３のロアベース３と対向する面側の穴９３ｃの周縁に当接可能なつば部３４ｃが形成されている。
【００５５】
更に、第２ボルト３４のつば部３４ｃを介して一方の側の周面には、第３ナット３３のめねじ穴に螺合するおねじ３４ａ’が形成されている。尚、本形態例では、第３ナット３３の穴の内周面に形成されためねじと第２ボルト３４のおねじ３４ａ’は、２条ねじとした。
【００５６】
又、２ボルト３４のつば部３４ｃを介して他方の側の周面には、１条ねじのおねじ３４ａが形成されている。おねじ３４ａには、内部におねじ３４ａと螺合するめねじが形成された樹脂製の位置決めキャップ３５が螺合している。この位置決めキャップ３５の外径は、穴９３ｃの幅と等しく設定されている。又、位置決めキャップ３５が取り外されると、第２ボルト３４の棒部３４ｂのおねじ３４ａには第２ナット３６が螺合し、第２ボルト３４と第２ナット３６とでロアベース３はインナパネル９３に取り付けられる。
【００５７】
これら２つの取り付けにより、ガイド６はインナパネル９３に位置決めされる。即ち、アッパベース２のスタッドボルト（第１ボルト）２ａがインナパネル９３の穴９３ａを挿通することで位置決めの基準となり、ロアベース３の穴３ａと、インナパネル９３の穴９３ｃとを位置決めキャップ３５が取り付けられた第２ボルト３４が挿通することで、位置決めの副基準となる。
【００５８】
又、アッパベース２のスタッドボルト２ｂとインナパネルの穴９３ｂとの取り付けは
穴９３ｂから突出したスタッドボルト２ｂに螺合する第１ナットによる取り付けである。
次に、ガイド６’側の取付構造を説明する。ガイド６’のアッパベース２’のスタッドボルト（第１ボルト）２ａ’とインナパネル９３の穴９３ａ’との取り付け、アッパベース２’のスタッドボルト２ｂ’とインナパネル９３の穴９３ｂ’との取り付け、ロアベース３’の穴３ａ’とインナパネル９３の穴９３ｃ’との取り付けは、ガイド６のアッパベース２のスタッドボルト２ａとインナパネル９３の穴９３ａとの取り付け、アッパベース２のスタッドボルト２ｂとインナパネル９３の穴９３ｂとの取り付け、ロアベース３の穴３ａとインナパネル９３の穴９３ｃとの取り付けと同じである。
【００５９】
更に、ロアベース３’のスタッドボルト３ｂ’とインナパネル９３の穴９３ｄ’との取付は、アッパベース２’のスタッドボルト２ｂ’とインナパネル９３の穴９３ｂ’との取り付けと同じである。
【００６０】
即ち、アッパベース２’のスタッドボルト２ａ’がインナパネル９３の穴９３ａ’を挿通することで位置決めの基準となり、ロアベース３’の穴３ａ’と、インナパネル９３の穴９３ｃ’とを位置決めキャップ３５が取り付けられた第２ボルト３４が挿通することで、位置決めの副基準となる。
【００６１】
ここで、上記構成のＷガイドウインドレギュレータ１をドアのインナパネル９３に形成された穴９３ｓからインナパネル９３とアウタパネル９１との間の空間に挿入し、Ｗガイドウインドレギュレータ１をドアへ組み付ける方法を説明する。
【００６２】
(1) 位置決めキャップ３５を取り付けた第２ボルト３４の棒部をロアベース３、ロアベース３’の第３ナット３３に螺合させた状態で組付けを行なう。そして、アッパベース２のスタッドボルト（第１ボルト）２ａをインナパネル９３の穴９３ａへ、アッパベース２のスタッドボルト２ｂをインナパネル９３の穴９３ｂへ、ロアベース３の第２ボルト３４をインナパネル９３の穴９３ｃへ、アッパベース２’のスタッドボルト（第１ボルト）２ａ’をインナパネル９３の穴９３ａ’へ、アッパベース２’のスタッドボルト２ｂ’をインナパネル９３の穴９３ｂ’へ、ロアベース３’の第２ボルト３４をインナパネル９３の穴９３ｃ’へ、ロアベース３’のスタッドボルト３ｂ’をインナパネル９３の穴９３ｄ’へ、それぞれ挿通させる（第１工程）。
【００６３】
(2) 第１ナットで、各ガイド６、６’のアッパベース２、２’とインナパネル９３とを取り付ける（第２工程）。
(3) 第２ボルト３４の棒部３４ｂの位置決めキャップ３５を取り外す（第３工程）。
【００６４】
(4) 第２ボルト３４の穴９３ｃ、穴９３ｃ’から突出した第２ボルト３４の棒部３４ｂに第２ナット３６を螺合させ、仮締めする（第４工程）。
(5) 第２ボルト３４の棒部３４ｂを回転させて、ガイド６、ガイド６’の下部とインナパネル９３との間隔を調整して、ウインドガラスとドア（ウエザストリップ）との建付調整を行う（第５工程）。
【００６５】
(6) 第２ナット３６を本締めして、ガイド６、ガイド６’の下部とインナパネル９３とを取り付ける（第６工程）。
(7) アッパベース２、アッパベース２’のスタッドボルト２ｂ、スタッドボルト２ｂ’とインナパネル９３の穴９３ｂ、穴９３ｂ’との取り付け、ロアベース３’のスタッドボルト３ｂ’とインナパネル９３の穴９３ｄ’との取り付けをアッパベース２のスタッドボルト２ｂとインナパネル９３の穴９３ｂとの取り付けと同じ構造で行なうと、図９の状態となる。
【００６６】
(8) 図１０に示すように、スライダ７，７’のウインドガラス取り付け用の穴７ａ、７ａ’を用いてウインドガラス５１を取り付ける（第７工程）。
又、本形態例のＷガイドウインドレギュレータ１では、図３に示すように、ガイド６側のスライダ７のスライダプレート１２は、断面形状が略Ｕ字形でガイド６の幅方向に対して移動可能である。よって、Ｗガイドウインドレギュレータ１をインナパネル９３へ組み付ける際に、スライダ７がガイド６に対して移動したり、外れたりする恐れがある。
【００６７】
よって、本形態例では、図１で示すガイド６の裏面側に、図１１〜図１４に示すような治具４１を用いて、スライダ７を保持するようにした。この治具４１は、図１１に示すように、スライダ７の下部の立壁部Ｋに当接して、スライダ７を保持する保持部４１ａと、ガイド６に取り付けられる取付部４１ｂとからなっている。
【００６８】
取付部４１ｂの上部は、図１２に示すように、ガイド６を挟み込むようなコ字形の断面形状となっている。取付部４１ｂの下部は、図１３に示すように、内部にナット４３が設けられ、ガイド６の穴Ｈを通り、ナット４３に螺合するボルト４２でガイド６に取り付けられている。
【００６９】
又、治具４１の保持部４１ａは、図１４に示すように立壁部Ｋに当接する形状となっている。このため、治具４１をガイド６から取り外す際に、容易に取り外せる。
このような構成によれば、以下のような効果が得られる。
【００７０】
(1) ガイド６、ガイド６’の上部に位置決めの基準、ガイド６、ガイド６’の下部に位置決めの副基準を設けたことにより、ガイド６、ガイド６’間の平行度が良い。
(2) 第２ボルト３４の棒部３４ｂを回転させて、ガイド６、ガイド６’の下部とインナパネル９３との間隔を調整して、ウインドガラスとドアとの建付調整を行うガラス建付調整機構を設けたことにより、ウインドガラスとドアとの建付調整ができる。
【００７１】
(3)第２ボルト以外のスタッドボルト、ナットは、汎用部品を用いることができるので、コストダウンとなる。
【符号の説明】
【００７２】
６、６’  ガイド
２ａ、２ａ’  スタッドボルト（第１ボルト）
３ａ、３ａ’  穴
９３  インナパネル
９３ａ、９３ａ’  穴（第１穴）
９３ｃ、９３ｃ’  穴
【図１】
2010168813.tif 000003
【図２】
2010168813.tif 000004
【図３】
2010168813.tif 000005
【図４】
2010168813.tif 000006
【図５】
2010168813.tif 000007
【図６】
2010168813.tif 000008
【図７】
2010168813.tif 000009
【図８】
2010168813.tif 000010
【図９】
2010168813.tif 000011
【図１０】
2010168813.tif 000012
【図１１】
2010168813.tif 000013
【図１２】
2010168813.tif 000014
【図１３】
2010168813.tif 000015
【図１４】
2010168813.tif 000016
【図１５】
2010168813.tif 000017
【図１６】
2010168813.tif 000018